(57)【要約】【課題】取得したコンテンツ（またはその一部）が著作権に配慮した状態で印刷されるようにし、直接的または間接的に著作権を保護することができるようにすること。【解決手段】受信装置（図１ではデジタル映像機器１）または印刷装置２は、コンテンツに固有な属性情報、または、コンテンツの作成、編集、提供、伝送および印刷の少なくとも１つに使用される機器に固有な属性情報を、そのコンテンツの印刷時に印刷するか否かを判定する。そして、その判定結果に応じて、印刷装置２は、そのコンテンツの印刷時に属性情報を強制印刷する。【選択図】  図１
2004265216.tif 000002
【特許請求の範囲】
【請求項１】
コンテンツを受信し、そのコンテンツを印刷する印刷装置において、
コンテンツに固有な属性情報、または、コンテンツの作成、編集、提供、伝送および印刷の少なくとも１つに使用される機器に固有な属性情報を、そのコンテンツの印刷時に印刷するか否かを判定する判定手段と、
上記コンテンツの印刷時に、上記判定手段による判定結果に応じて上記属性情報を強制印刷する印刷手段と、
を備えることを特徴とする印刷装置。
【請求項２】
前記判定手段は、コンテンツに書き込まれた情報に基づいて前記属性情報を印刷するか否かを判定することを特徴とする請求項１記載の印刷装置。
【請求項３】
前記判定手段は、コンテンツを供給する機器からの指令に基づいて前記属性情報を印刷するか否かを判定することを特徴とする請求項１記載の印刷装置。
【請求項４】
前記判定手段は、著作権で保護されているコンテンツを印刷する場合には、前記属性情報を印刷すると判定することを特徴とする請求項１から請求項３のうちのいずれか１項記載の印刷装置。
【請求項５】
前記印刷手段は、属性情報として、この印刷装置の固有識別情報を強制印刷することを特徴とする請求項１記載の印刷装置。
【請求項６】
前記印刷手段は、属性情報として、コンテンツの著作権情報の一部または全部を強制印刷することを特徴とする請求項１記載の印刷装置。
【請求項７】
コンテンツの一部または全部である、マークアップ言語で記述されたスクリプトを解析し、コンテンツの著作権情報を取得する著作権情報取得手段を備えることを特徴とする請求項６記載の印刷装置。
【請求項８】
コンテンツの一部または全部である画像データのメタデータからコンテンツの著作権情報を取得する著作権情報取得手段を備えることを特徴とする請求項６または請求項７記載の印刷装置。
【請求項９】
前記印刷手段は、前記属性情報が取得できなかった場合には、前記コンテンツを印刷しないことを特徴とする請求項１から請求項８のうちのいずれか１項記載の印刷装置。
【請求項１０】
コンテンツを受信し、そのコンテンツを印刷する印刷装置へ、コンテンツを送信可能な受信装置において、
伝送媒体および／または記録媒体からコンテンツを受信するコンテンツ受信手段と、
上記印刷装置との通信を行う通信手段と、
上記印刷装置がコンテンツに固有な属性情報、または、コンテンツの作成、編集、提供、伝送および印刷の少なくとも１つに使用される機器に固有な属性情報をそのコンテンツの印刷時に印刷することが可能か否かを判定する印刷機能判定手段と、
上記印刷機能判定手段により上記印刷装置がそのコンテンツの印刷時に上記属性情報を印刷することが可能ではないと判定された場合に、上記通信手段による上記印刷装置へのコンテンツの送信を禁止するコンテンツ送信禁止手段と、
を備えることを特徴とする受信装置。
【請求項１１】
前記コンテンツ送信禁止手段は、著作権で保護されているコンテンツの送信のみを禁止することを特徴とする請求項１０記載の受信装置。
【請求項１２】
コンテンツを受信し、そのコンテンツのデータから印刷データを生成する中継装置において、
コンテンツに固有な属性情報、または、コンテンツの作成、編集、提供、伝送および印刷の少なくとも１つに使用される機器に固有な属性情報を、そのコンテンツの印刷時に印刷するか否かを判定する判定手段と、
上記判定手段による判定結果に応じて上記属性情報の印刷データを、上記コンテンツの印刷データに強制的に追加する印刷データ生成手段と、
を備えることを特徴とする中継装置。
【請求項１３】
伝送媒体および／または記録媒体からコンテンツを受信する受信装置と、上記受信装置に接続され、その受信装置からコンテンツを受信し、そのコンテンツを印刷する印刷装置とを備える印刷システムにおいて、
上記受信装置は、伝送媒体および／または記録媒体からコンテンツを受信するコンテンツ受信手段と、上記コンテンツ受信手段により受信されたコンテンツを上記印刷装置に送信するコンテンツ送信手段とを備え、
上記印刷装置は、コンテンツに固有な属性情報、または、コンテンツの作成、編集、提供、伝送および印刷の少なくとも１つに使用される機器に固有な属性情報を、そのコンテンツの印刷時に印刷するか否かを判定する判定手段と、上記コンテンツの印刷時に、上記判定手段による判定結果に応じて上記属性情報を強制印刷する印刷手段とを備えること、
を特徴とする印刷システム。
【請求項１４】
伝送媒体および／または記録媒体からコンテンツを受信する受信装置と、上記受信装置に接続され、その受信装置からコンテンツを受信し、そのコンテンツを印刷する印刷装置とを備える印刷システムにおいて、
上記受信装置は、伝送媒体および／または記録媒体からコンテンツを受信するコンテンツ受信手段と、コンテンツに固有な属性情報、または、コンテンツの作成、編集、提供、伝送および印刷の少なくとも１つに使用される機器に固有な属性情報を、そのコンテンツの印刷時に印刷するか否かを判定する判定手段と、上記コンテンツ受信手段により受信されたコンテンツを上記印刷装置に送信するコンテンツ送信手段とを備え、
上記印刷装置は、上記コンテンツの印刷時に、上記判定手段による判定結果に応じて上記属性情報を強制印刷する印刷手段とを備えること、
を特徴とする印刷システム。
【請求項１５】
伝送媒体および／または記録媒体からコンテンツを受信する受信装置と、印刷データを受信してその印刷データに基づいて印刷する印刷装置と、上記受信装置と上記印刷装置との間に配置され、上記コンテンツから上記印刷データを生成する中継装置とを備える印刷システムにおいて、
上記受信装置は、伝送媒体および／または記録媒体からコンテンツを受信するコンテンツ受信手段と、上記コンテンツ受信手段により受信されたコンテンツを上記中継装置に送信するコンテンツ送信手段とを備え、
上記中継装置は、コンテンツに固有な属性情報、または、コンテンツの作成、編集、提供、伝送および印刷の少なくとも１つに使用される機器に固有な属性情報を、そのコンテンツの印刷時に印刷するか否かを判定する判定手段と、上記判定手段による判定結果に応じて上記属性情報の印刷データを、上記コンテンツの印刷データに強制的に追加する印刷データ生成手段とを備えること、
を特徴とする印刷システム。
【請求項１６】
伝送媒体および／または記録媒体からコンテンツを受信する受信装置と、印刷データを受信してその印刷データに基づいて印刷する印刷装置と、上記受信装置と上記印刷装置との間に配置され、上記コンテンツから上記印刷データを生成する中継装置とを備える印刷システムにおいて、
上記受信装置は、伝送媒体および／または記録媒体からコンテンツを受信するコンテンツ受信手段と、コンテンツに固有な属性情報、または、コンテンツの作成、編集、提供、伝送および印刷の少なくとも１つに使用される機器に固有な属性情報を、そのコンテンツの印刷時に印刷するか否かを判定する判定手段と、上記コンテンツ受信手段により受信されたコンテンツを上記印刷装置に送信するコンテンツ送信手段とを備え、
上記中継装置は、上記判定手段による判定結果に応じて上記属性情報の印刷データを、上記コンテンツの印刷データに強制的に追加する印刷データ生成手段を備えること、
を特徴とする印刷システム。
【請求項１７】
前記受信装置の前記判定手段は、判定結果をコンテンツに書き込み、
前記印刷装置の前記印刷手段は、コンテンツに書き込まれた判定結果を参照し、その判定結果に応じて前記属性情報を強制印刷すること、
を特徴とする請求項１４記載の印刷システム。
【請求項１８】
前記受信装置は、コンテンツの印刷の前に、前記属性情報を印刷させる指令、または前記属性情報を印刷させない指令を前記印刷装置へ送信し、
前記印刷装置の前記判定手段は、前記受信装置からの指令に基づいて前記属性情報を印刷するか否かを判定すること、
を特徴とする請求項１３記載の印刷システム。
【請求項１９】
前記印刷装置の前記判定手段は、著作権で保護されているコンテンツを印刷する場合には、前記属性情報を印刷すると判定することを特徴とする請求項１３記載の印刷システム。
【請求項２０】
前記中継装置の前記判定手段は、著作権で保護されているコンテンツを印刷する場合には、前記属性情報を印刷すると判定することを特徴とする請求項１５記載の印刷システム。
【請求項２１】
前記受信装置の前記判定手段は、著作権で保護されているコンテンツを印刷する場合には、前記属性情報を印刷すると判定することを特徴とする請求項１４または請求項１６記載の印刷システム。
【請求項２２】
前記受信装置は、デジタル放送受信機であって、受信したコンテンツのうちの著作権保護されたコンテンツを印刷する場合には、前記判定手段は、前記属性情報を印刷すると判定することを特徴とする請求項２１記載の印刷システム。
【請求項２３】
前記受信装置は、キャプチャ機能を有するデジタル放送受信機であって、キャプチャされた静止画像をコンテンツとして印刷する場合には、前記判定手段は、前記属性情報を印刷すると判定することを特徴とする請求項２１記載の印刷システム。
【請求項２４】
前記受信装置と前記印刷装置とを接続し暗号化通信を行う通信路を備えることを特徴とする請求項１３または請求項１４記載の印刷システム。
【請求項２５】
前記受信装置と前記中継装置とを接続し暗号化通信を行う通信路を備えることを特徴とする請求項１５または請求項１６記載の印刷システム。
【請求項２６】
伝送媒体および／または記録媒体からコンテンツを受信する受信装置と、上記受信装置に接続され、その受信装置からコンテンツを受信し、そのコンテンツを印刷する印刷装置とを備える印刷システムにおいて、
上記受信装置は、コンテンツを格納する格納装置を備え、
上記印刷装置は、上記受信装置の格納装置を制御する格納装置コントローラを備えること、
を特徴とする印刷システム。
【請求項２７】
前記受信装置の前記格納装置は、コンテンツとしてマークアップ言語のスクリプトおよび画像データを格納し、
前記印刷装置の前記格納装置コントローラは、前記受信装置の前記格納装置における上記マークアップ言語のスクリプトを前記印刷装置へ転送させ、その後、そのスクリプト内で指定された１または複数の画像データを前記印刷装置へ転送させること、
を特徴とする請求項２６記載の印刷システム。
【請求項２８】
前記受信装置と前記印刷装置とを接続するＩＥＥＥ１３９４規格に準拠した通信路を備え、
前記印刷装置の前記格納装置コントローラは、ＡＶ／Ｃプリンティングプロトコルに従って前記受信装置の前記格納装置を制御すること、
を特徴とする請求項２６または請求項２７記載の印刷システム。
【請求項２９】
コンテンツに固有な属性情報、または、コンテンツの作成、編集、提供、伝送および印刷の少なくとも１つに使用される機器に固有な属性情報を、そのコンテンツの印刷時に印刷するか否かを判定するステップと、
その判定結果に応じて、上記コンテンツの印刷時に上記属性情報を強制印刷するステップと、
を備えることを特徴とする印刷方法。
【発明の詳細な説明】
【０００１】
【発明の属する技術分野】
本発明は、コンテンツを印刷する印刷装置、印刷装置に接続可能な中継装置、印刷装置または中継装置に接続可能な、コンテンツを受信する受信装置、並びに、コンテンツを印刷する印刷システムおよび印刷方法に関するものである。
【０００２】
【従来の技術】
近年、映像、音声、付加価値情報などを含むコンテンツのデジタル化が進んでおり、各種デジタル映像機器が開発されている。そのようなデジタル映像機器としては、例えば、ＤＶＤ（Ｄｉｇｉｔａｌ  Ｖｅｒｓａｔｉｌｅ  Ｄｉｓｃ）などといった記録媒体から映像データ、音声データおよび各種付属データを読み出し、それらのデータに基づいてコンテンツを再生する再生装置や、デジタル衛星放送、デジタル地上波放送などといった伝送媒体から映像データ、音声データおよび各種付属データを受信し、それらのデータに基づいてコンテンツを再生する受信装置などがある。
【０００３】
このようなデジタル映像機器は、コンテンツをデジタルデータとして取り扱うため、コンテンツのデジタルデータを利用した様々な付加機能を有している。そのようなデジタル映像機器として、コンテンツ（またはその一部）をプリンタで印刷する機能を有するものが提案されている（特許文献１参照）。
【０００４】
【特許文献１】
特開２００２−２３２８１５号公報（段落００５６〜００６０）
【０００５】
【発明が解決しようとする課題】
放送されるコンテンツや、記録媒体に記録されて頒布されるコンテンツには、複製、加工などの行為を著作権に基づき禁止しているものが多い。また、コンテンツの中には、著作権が多数の者に帰属するものがあったり、複製、加工などの行為を許諾しているものがあったりする。
【０００６】
このように、頒布されているコンテンツは著作権により保護されている場合が多いが、上述のような従来の印刷システムでは、取得したコンテンツ（またはその一部）が、著作権に何ら配慮することなく印刷されてしまうという問題がある。
【０００７】
本発明は、上記の問題に鑑みてなされたものであり、取得したコンテンツ（またはその一部）が著作権に配慮した状態で印刷されるようにし、直接的または間接的に著作権を保護することができる印刷装置、受信装置、中継装置、印刷システムおよび印刷方法を得ることを目的とする。
【０００８】
【課題を解決するための手段】
上記の課題を解決するために、本発明の印刷装置は、コンテンツに固有な属性情報、または、コンテンツの作成、編集、提供、伝送および印刷の少なくとも１つに使用される機器に固有な属性情報を、そのコンテンツの印刷時に印刷するか否かを判定する判定手段と、コンテンツの印刷時に、判定手段による判定結果に応じて属性情報を強制印刷する印刷手段とを備える。
【０００９】
この印刷装置を利用すると、取得したコンテンツ（またはその一部）が著作権に配慮した状態で印刷されるようにし、直接的または間接的に著作権を保護することができる。
【００１０】
さらに、本発明の印刷装置は、上記発明の印刷装置に加え、判定手段が、コンテンツに書き込まれた情報に基づいて属性情報を印刷するか否かを判定するようにしたものである。
【００１１】
この印刷装置を利用すると、取得したコンテンツ（またはその一部）が著作権に配慮した状態で印刷すべきか否かを正確に判断することができる。
【００１２】
さらに、本発明の印刷装置は、上記発明の印刷装置のいずれかに加え、判定手段が、コンテンツを供給する機器からの指令に基づいて属性情報を印刷するか否かを判定するようにしたものである。
【００１３】
この印刷装置を利用すると、取得したコンテンツ（またはその一部）が著作権に配慮した状態で印刷すべきか否かを正確に判断することができる。
【００１４】
さらに、本発明の印刷装置は、上記発明の印刷装置のいずれかに加え、判定手段が、著作権で保護されているコンテンツを印刷する場合には、属性情報を印刷すると判定するようにしたものである。
【００１５】
この印刷装置を利用すると、取得したコンテンツ（またはその一部）が著作権に配慮した状態で印刷されるようにし、直接的または間接的に著作権を保護することができる。
【００１６】
さらに、本発明の印刷装置は、上記発明の印刷装置のいずれかに加え、印刷手段が、属性情報として、この印刷装置の固有識別情報を強制印刷するようにしたものである。
【００１７】
この印刷装置を利用すると、印刷物がどの印刷装置で印刷されたかを一意に特定することが可能であるため、著作権の侵害に対する抑止効果を期待でき、間接的に著作権を保護することができる。
【００１８】
さらに、本発明の印刷装置は、上記発明の印刷装置のいずれかに加え、印刷手段が、属性情報として、コンテンツの著作権情報の一部または全部を強制印刷するようにしたものである。
【００１９】
この印刷装置を利用すると、コンテンツの著作権情報が必要に応じて印刷物に明記され、直接的に著作権を保護することができる。
【００２０】
さらに、本発明の印刷装置は、上記発明の印刷装置のいずれかに加え、コンテンツの一部または全部である、マークアップ言語で記述されたスクリプトを解析し、コンテンツの著作権情報を取得する著作権情報取得手段を備える。
【００２１】
この印刷装置を利用すると、コンテンツの作者等により記述された著作権情報を取得でき、正確に著作権者などを特定することができる。
【００２２】
さらに、本発明の印刷装置は、上記発明の印刷装置のいずれかに加え、コンテンツの一部または全部である画像データのメタデータからコンテンツの著作権情報を取得する著作権情報取得手段を備える。
【００２３】
この印刷装置を利用すると、コンテンツの作者等により記述された著作権情報を取得でき、正確に著作権者などを特定することができる。
【００２４】
さらに、本発明の印刷装置は、上記発明の印刷装置のいずれかに加え、印刷手段が、属性情報が取得できなかった場合には、コンテンツを印刷しないようにしたものである。
【００２５】
この印刷装置を利用すると、取得したコンテンツ（またはその一部）が著作権に配慮しない状態では印刷されることがなくなり、直接的に著作権を保護することができる。
【００２６】
本発明の受信装置は、伝送媒体および／または記録媒体からコンテンツを受信するコンテンツ受信手段と、印刷装置との通信を行う通信手段と、印刷装置がコンテンツに固有な属性情報、または、コンテンツの作成、編集、提供、伝送および印刷の少なくとも１つに使用される機器に固有な属性情報をそのコンテンツの印刷時に印刷することが可能か否かを判定する印刷機能判定手段と、印刷機能判定手段により印刷装置がそのコンテンツの印刷時に属性情報を印刷することが可能ではないと判定された場合に、通信手段による印刷装置へのコンテンツの送信を禁止するコンテンツ送信禁止手段とを備える。
【００２７】
この受信装置を利用すると、取得したコンテンツ（またはその一部）が著作権に配慮した状態で印刷されるようにし、直接的または間接的に著作権を保護することができる。
【００２８】
さらに、本発明の受信装置は、上記発明の受信装置に加え、コンテンツ送信禁止手段が、著作権で保護されているコンテンツのみの送信を禁止するようにしたものである。
【００２９】
この受信装置を利用すると、取得したコンテンツ（またはその一部）が著作権に配慮しない状態では印刷されることがなくなり、直接的に著作権を保護することができる。かつ、著作権上、フリーライセンスとなっているコンテンツについては、印刷を行うことができる。
【００３０】
本発明の中継装置は、コンテンツを受信し、そのコンテンツのデータから印刷データを生成する中継装置であって、コンテンツに固有な属性情報、または、コンテンツの作成、編集、提供、伝送および印刷の少なくとも１つに使用される機器に固有な属性情報を、そのコンテンツの印刷時に印刷するか否かを判定する判定手段と、判定手段による判定結果に応じて属性情報の印刷データを、コンテンツの印刷データに強制的に追加する印刷データ生成手段とを備える。
【００３１】
この中継装置を利用すると、取得したコンテンツ（またはその一部）が著作権に配慮した状態で印刷されるようにし、直接的または間接的に著作権を保護することができる。
【００３２】
本発明の印刷システムは、伝送媒体および／または記録媒体からコンテンツを受信する受信装置と、受信装置に接続され、その受信装置からコンテンツを受信し、そのコンテンツを印刷する印刷装置とを備える印刷システムであって、受信装置と印刷装置を次のとおりとしたものである。受信装置は、伝送媒体および／または記録媒体からコンテンツを受信するコンテンツ受信手段と、コンテンツ受信手段により受信されたコンテンツを印刷装置に送信するコンテンツ送信手段とを備える。印刷装置は、コンテンツに固有な属性情報、または、コンテンツの作成、編集、提供、伝送および印刷の少なくとも１つに使用される機器に固有な属性情報を、そのコンテンツの印刷時に印刷するか否かを判定する判定手段と、コンテンツの印刷時に、判定手段による判定結果に応じて属性情報を強制印刷する印刷手段とを備える。
【００３３】
この印刷システムを利用すると、取得したコンテンツ（またはその一部）が著作権に配慮した状態で印刷されるようにし、直接的または間接的に著作権を保護することができる。
【００３４】
本発明の印刷システムは、伝送媒体および／または記録媒体からコンテンツを受信する受信装置と、受信装置に接続され、その受信装置からコンテンツを受信し、そのコンテンツを印刷する印刷装置とを備える印刷システムであって、受信装置と印刷装置を次のとおりとしたものである。受信装置は、伝送媒体および／または記録媒体からコンテンツを受信するコンテンツ受信手段と、コンテンツに固有な属性情報、または、コンテンツの作成、編集、提供、伝送および印刷の少なくとも１つに使用される機器に固有な属性情報を、そのコンテンツの印刷時に印刷するか否かを判定する判定手段と、コンテンツ受信手段により受信されたコンテンツを印刷装置に送信するコンテンツ送信手段とを備える。印刷装置は、コンテンツの印刷時に、判定手段による判定結果に応じて属性情報を強制印刷する印刷手段とを備える。
【００３５】
この印刷システムを利用すると、取得したコンテンツ（またはその一部）が著作権に配慮した状態で印刷されるようにし、直接的または間接的に著作権を保護することができる。
【００３６】
本発明の印刷システムは、伝送媒体および／または記録媒体からコンテンツを受信する受信装置と、印刷データを受信してその印刷データに基づいて印刷する印刷装置と、受信装置と印刷装置との間に配置され、コンテンツから印刷データを生成する中継装置とを備える印刷システムであって、受信装置と中継装置を次のとおりとしたものである。受信装置は、伝送媒体および／または記録媒体からコンテンツを受信するコンテンツ受信手段と、コンテンツ受信手段により受信されたコンテンツを中継装置に送信するコンテンツ送信手段とを備える。中継装置は、コンテンツに固有な属性情報、または、コンテンツの作成、編集、提供、伝送および印刷の少なくとも１つに使用される機器に固有な属性情報を、そのコンテンツの印刷時に印刷するか否かを判定する判定手段と、判定手段による判定結果に応じて属性情報の印刷データを、コンテンツの印刷データに強制的に追加する印刷データ生成手段とを備える。
【００３７】
この印刷システムを利用すると、取得したコンテンツ（またはその一部）が著作権に配慮した状態で印刷されるようにし、直接的または間接的に著作権を保護することができる。
【００３８】
本発明の印刷システムは、伝送媒体および／または記録媒体からコンテンツを受信する受信装置と、印刷データを受信してその印刷データに基づいて印刷する印刷装置と、受信装置と印刷装置との間に配置され、コンテンツから印刷データを生成する中継装置とを備える印刷システムであって、受信装置と中継装置を次のとおりとしたものである。受信装置は、伝送媒体および／または記録媒体からコンテンツを受信するコンテンツ受信手段と、コンテンツに固有な属性情報、または、コンテンツの作成、編集、提供、伝送および印刷の少なくとも１つに使用される機器に固有な属性情報を、そのコンテンツの印刷時に印刷するか否かを判定する判定手段と、コンテンツ受信手段により受信されたコンテンツを印刷装置に送信するコンテンツ送信手段とを備える。中継装置は、判定手段による判定結果に応じて属性情報の印刷データを、コンテンツの印刷データに強制的に追加する印刷データ生成手段を備える。
【００３９】
この印刷システムを利用すると、取得したコンテンツ（またはその一部）が著作権に配慮した状態で印刷されるようにし、直接的または間接的に著作権を保護することができる。
【００４０】
さらに、本発明の印刷システムは、上記発明の印刷システムのいずれかに加え、受信装置と印刷装置を次のとおりとしたものである。受信装置の判定手段は、判定結果をコンテンツに書き込む。印刷装置の印刷手段は、コンテンツに書き込まれた判定結果を参照し、その判定結果に応じて属性情報を強制印刷する。
【００４１】
この印刷システムを利用すると、印刷装置において、取得したコンテンツ（またはその一部）が著作権に配慮した状態で印刷すべきか否かを正確に判断することができる。
【００４２】
さらに、本発明の印刷システムは、上記発明の印刷システムのいずれかに加え、受信装置と印刷装置を次のとおりとしたものである。受信装置は、コンテンツの印刷の前に、属性情報を印刷させる指令、または属性情報を印刷させない指令を印刷装置へ送信する。印刷装置の判定手段は、受信装置からの指令に基づいて属性情報を印刷するか否かを判定する。
【００４３】
この印刷システムを利用すると、印刷装置において、取得したコンテンツ（またはその一部）が著作権に配慮した状態で印刷すべきか否かを正確に判断することができる。
【００４４】
さらに、本発明の印刷システムは、上記発明の印刷システムのいずれかに加え、印刷装置の判定手段が、著作権で保護されているコンテンツを印刷する場合には、属性情報を印刷すると判定するようにしたものである。
【００４５】
この印刷システムを利用すると、取得したコンテンツ（またはその一部）が著作権に配慮した状態で印刷されるようにし、直接的または間接的に著作権を保護することができる。
【００４６】
さらに、本発明の印刷システムは、上記発明の印刷システムのいずれかに加え、中継装置の判定手段が、著作権で保護されているコンテンツを印刷する場合には、属性情報を印刷すると判定するようにしたものである。
【００４７】
この印刷システムを利用すると、取得したコンテンツ（またはその一部）が著作権に配慮した状態で印刷されるようにし、直接的または間接的に著作権を保護することができる。
【００４８】
さらに、本発明の印刷システムは、上記発明の印刷システムのいずれかに加え、受信装置の判定手段が、著作権で保護されているコンテンツを印刷する場合には、属性情報を印刷すると判定するようにしたものである。
【００４９】
この印刷システムを利用すると、取得したコンテンツ（またはその一部）が著作権に配慮した状態で印刷されるようにし、直接的または間接的に著作権を保護することができる。
【００５０】
さらに、本発明の印刷システムは、上記発明の印刷システムのいずれかに加え、受信装置としてデジタル放送受信機を備える。その受信装置の判定手段は、受信したコンテンツのうちの著作権保護されたコンテンツを印刷する場合には、属性情報を印刷すると判定する。
【００５１】
この印刷システムを利用すると、デジタル放送から取得したコンテンツ（またはその一部）が著作権に配慮した状態で印刷されるようにし、直接的または間接的に著作権を保護することができる。
【００５２】
さらに、本発明の印刷システムは、上記発明の印刷システムのいずれかに加え、受信装置として、キャプチャ機能を有するデジタル放送受信機を備える。その受信装置の判定手段は、キャプチャされた静止画像をコンテンツとして印刷する場合には、属性情報を印刷すると判定する。
【００５３】
この印刷システムを利用すると、デジタル放送から取得したコンテンツ（またはその一部）が著作権に配慮した状態で印刷されるようにし、直接的または間接的に著作権を保護することができる。
【００５４】
さらに、本発明の印刷システムは、上記発明の印刷システムのいずれかに加え、受信装置と印刷装置とを接続し暗号化通信を行う通信路を備える。
【００５５】
この印刷システムを利用すると、コンテンツが通信路から印刷装置とは別の装置に供給されることを抑制して印刷装置のみに供給され、取得したコンテンツ（またはその一部）が著作権に配慮した状態で印刷される。
【００５６】
さらに、本発明の印刷システムは、上記発明の印刷システムのいずれかに加え、受信装置と中継装置とを接続し暗号化通信を行う通信路を備える。
【００５７】
この印刷システムを利用すると、コンテンツが通信路から印刷装置とは別の装置に供給されることを抑制して印刷装置のみに供給され、取得したコンテンツ（またはその一部）が著作権に配慮した状態で印刷される。
【００５８】
本発明の印刷システムは、伝送媒体および／または記録媒体からコンテンツを受信する受信装置と、受信装置に接続され、その受信装置からコンテンツを受信し、そのコンテンツを印刷する印刷装置とを備える印刷システムであって、受信装置は、コンテンツを格納する格納装置を備える。そして、その印刷装置は、受信装置の格納装置を制御する格納装置コントローラを備える。
【００５９】
この印刷システムを利用すると、印刷システムをプル型のシステムとすることができ、印刷装置に実装するメモリなどの回路の規模を小さくすることができる。
【００６０】
さらに、本発明の印刷システムは、上記発明の印刷システムに加え、受信装置と印刷装置を次のとおりとしたものである。受信装置の格納装置は、コンテンツとしてマークアップ言語のスクリプトおよび画像データを格納する。印刷装置の格納装置コントローラは、受信装置の格納装置におけるマークアップ言語のスクリプトを印刷装置へ転送させ、その後、そのスクリプト内で指定された１または複数の画像データを印刷装置へ転送させる。
【００６１】
この印刷システムを利用すると、印刷システムをプル型のシステムとすることができ、印刷装置に実装するメモリなどの回路の規模を小さくすることができる。
【００６２】
さらに、本発明の印刷システムは、上記発明の印刷システムのいずれかに加え、受信装置と印刷装置とを接続するＩＥＥＥ１３９４規格に準拠した通信路を備える。そして、印刷装置の格納装置コントローラは、ＡＶ／Ｃプリンティングプロトコルに従って受信装置の格納装置を制御する。
【００６３】
本発明の印刷方法は、コンテンツに固有な属性情報、または、コンテンツの作成、編集、提供、伝送および印刷の少なくとも１つに使用される機器に固有な属性情報を、そのコンテンツの印刷時に印刷するか否かを判定するステップと、その判定結果に応じて、上記コンテンツの印刷時に上記属性情報を強制印刷するステップとを備える。
【００６４】
この印刷方法を利用すると、取得したコンテンツ（またはその一部）が著作権に配慮した状態で印刷されるようにし、直接的または間接的に著作権を保護することができる。
【００６５】
【発明の実施の形態】
以下、図に基づいて本発明の実施の形態を説明する。
【００６６】
実施の形態１．
図１は、本発明の実施の形態１に係る印刷システムの構成を示すブロック図である。図１において、デジタル映像機器１は、伝送媒体および／または記録媒体からコンテンツを受信する受信装置である。なお、デジタル映像機器１は、デジタル放送受信機、デジタルテレビジョン受像機、ＤＶＤなどの記録媒体用の再生装置などの形態とされる。このデジタル映像機器１は、伝送媒体および／または記録媒体から受信したコンテンツの全部または一部を、印刷制御コマンドに変換せずに、マークアップ言語でのスクリプトや画像データファイルといったコンテンツの形態で、通信路３を介して印刷装置２に送信する。また、この実施の形態１におけるデジタル映像機器１は、コンテンツに固有な属性情報、または、コンテンツの作成、編集、提供、伝送および印刷の少なくとも１つに使用される機器に固有な属性情報を、そのコンテンツの印刷時に印刷するか否かを判定し、その判定結果を印刷装置２に通知する。
【００６７】
なお、デジタル映像機器１により取得されるコンテンツとしては、映像、音声、付加価値情報などがあり、このうち、印刷装置２により印刷されるコンテンツは、映像から得られる静止画像、付加価値情報などである。そのような付加価値情報には、例えば、データ化された新聞、パンフレット、料理レシピ、クーポン券などがある。また、印刷装置２により印刷されるコンテンツを、デジタル映像機器１により取得されたデータから生成するようにしてもよい。例えば、デジタル映像機器１は、所定の通過間の為替レートや所定の銘柄の株時価の時系列データからチャートを作成したり、新聞などのデータ化された刊行物から、その刊行物のダイジェストを作成したりする。
【００６８】
また、印刷装置２は、通信路３を介して、受信装置１に接続され、その受信装置１からコンテンツ（マークアップ言語で記述されたスクリプト、ＪＰＥＧ（Ｊｏｉｎｔ  Ｐｈｏｔｏｇｒａｐｈｉｃ  Ｅｘｐｅｒｔｓ  Ｇｒｏｕｐ）などといったファイル形式の画像データなど）を受信し、そのコンテンツを印刷する装置である。なお、印刷装置２は、プリンタ、プリンタを内蔵した電子機器などの形態とされる。この印刷装置２は、コンテンツに固有な属性情報、または、コンテンツの作成、編集、提供、伝送および印刷の少なくとも１つに使用される機器に固有な属性情報を、そのコンテンツの印刷時に印刷するか否かの判定結果に応じて、コンテンツの印刷時に属性情報を強制印刷する。
【００６９】
また、通信路３は、デジタル映像機器１と印刷装置２とを接続し、コンテンツに係る各種データを転送する通信路である。なお、通信路３は、有線通信路でも無線通信路でもよい。この実施の形態１では、通信路３は、有線通信路とされ、ＩＥＥＥ１３９４規格に準拠したものが使用される。
【００７０】
図２は、実施の形態１に係る印刷システムにおけるデジタル映像機器の構成例を示すブロック図である。図２において、再生装置１１は、コンテンツが記録された図示せぬ記録媒体を駆動し、その記録媒体からコンテンツを読み出し、出力する装置である。例えば、再生装置１１としては、ＤＶＤプレーヤなどが使用される。また、再生装置１１として、デジタルビデオカメラを接続し、ユーザにより撮影されたコンテンツがデータ受信機１３に供給されるようにしてもよい。
【００７１】
また、アンテナ装置１２は、デジタル放送の電波を受信する装置である。なお、デジタル放送としては、衛星デジタル放送および地上波デジタル放送のいずれでもよい。また、必要に応じて複数のアンテナを設けて、衛星デジタル放送および地上波デジタル放送の両方の電波を受信可能としてもよい。
【００７２】
また、データ受信機１３は、デジタル放送、コンピュータネットワーク、再生装置１１などといった伝送媒体および／または記録媒体から映像、音声、各種データなどといったコンテンツを受信し、コンテンツを再生して映像信号、音声信号などを出力したり、その映像の一部の画像についての画像データ、データ放送から取得されたデータ、再生装置１１から取得されたデータ、コンピュータネットワークから取得されたデータなどを印刷装置２に送信し、印刷させる装置である。
【００７３】
データ受信機１３において、信号ソース切換部２１は、ユーザによる操作などに応じて、アンテナ装置１２および再生装置１１のいずれかを入力信号ソースとして選択し、それらの入力信号を受信する回路または装置である。すなわち、この実施の形態１では、信号ソース切換部２１は、伝送媒体および／または記録媒体からコンテンツを受信するコンテンツ受信手段として機能する。なお、この信号ソース切換部２１には、アンテナ装置１２により受信されたデジタル放送波から、伝送データを取り出すベースバンド処理部が含まれる。
【００７４】
また、チャンネル切換部２２は、デジタル放送などにおいて複数のチャンネルが含まれる場合に、ユーザによる操作などに応じて、１つのチャンネルを選択する回路または装置である。
【００７５】
また、映像復調部２３は、伝送媒体および／または記録媒体から得られるデータストリームから映像部分のデータを抽出し、その部分のデータを元の映像データへ復調する回路または装置である。
【００７６】
また、データ抽出部２４は、伝送媒体および／または記録媒体から得られるデータストリームからデータ部分（データ放送によるデータ、記録媒体からのデータなど）を抽出する回路または装置である。
【００７７】
また、音声復調部２５は、伝送媒体および／または記録媒体から得られるデータストリームから音声部分のデータを抽出し、その部分のデータを元の音声データへ復調する回路または装置である。
【００７８】
また、データ管理部２６は、伝送媒体および／または記録媒体から得られた映像データおよび付属データを管理し、付属データに基づき映像を制御したり、付属データ自体を制御部３３に供給したりする回路または装置である。なお、このような付属データは、データ放送などにより独立して得られるデータ、データストリーム中のあるタイミングで映像などと関連付けられたデータなどである。
【００７９】
また、映像出力部２７は、映像データから映像信号を生成し出力する回路または装置である。音声出力部２８は、音声データから音声信号を生成し出力する回路または装置である。
【００８０】
また、制御部２９は、図示せぬ操作部に対するユーザの操作、デジタル映像機器１、再生装置１１、印刷装置２などの装置の状態、印刷装置２などからの指令などに応じて装置内の各部を制御するとともに、伝送媒体および／または記録媒体から得られたコンテンツを管理する回路または装置である。また、制御部２９は、上述の属性情報を印刷装置２により印刷するか否かを判定する判定手段として機能する。
【００８１】
さらに、制御部２９は、印刷装置２にコンテンツを送信する際に、所定のマークアップ言語のスクリプトおよび画像データなどのオブジェクトとして送信する。この実施の形態１では、マークアップ言語として、ＸＨＴＭＬが使用される。したがって、取得されたコンテンツが、ＸＨＴＭＬではなく、かつＸＨＴＭＬとは互換性がないマークアップ言語（例えばＢＭＬ（Ｂｒｏａｄｃａｓｔ  Ｍａｒｋｕｐ  Ｌａｎｇｕａｇｅ  ））で記述されている場合には、制御部２９は、コンテンツの有するスクリプトを、ＸＨＴＭＬのスクリプトに変換する。また、コンテンツが画像データのみである場合には、制御部２９は、その画像データをリンクさせたＸＨＴＭＬスクリプトを生成する。なお、デジタル映像機器１からのコンテンツの転送に使用するマークアップ言語は、ＸＨＴＭＬに特に限定されるものではない。
【００８２】
制御部２９において、通信制御部３１は、通信回路３２を制御し、印刷装置２との通信を行う回路または装置である。また、画像取得部３３は、あるタイミングで映像から静止画像をキャプチャし、その静止画像の画像データを取得する回路または装置である。なお、この通信制御部３１および通信回路３２は、印刷装置２などにコンテンツを送信するコンテンツ送信手段として機能する。
【００８３】
なお、この制御部２９は、制御プログラムおよびその制御プログラムを実行するコンピュータとして実現してもよいし、シーケンサなどの専用回路を一部または全部に使用してもよい。
【００８４】
また、格納装置３０は、デジタル放送、コンピュータネットワーク、記録媒体などから得られたコンテンツを格納する記録媒体を有する装置である。記録媒体としては、半導体メモリ、ハードディスクドライブなどの磁気記録媒体などが使用される。コンテンツとしては、デジタルデータ放送で配信されるデータ、映像をキャプチャした静止画像の画像データ、コンピュータネットワーク上のいずれかのサーバから得られるウェブページのデータや画像データ、記録媒体に記録された画像データや付属データなどがある。
【００８５】
なお、デジタルデータ放送で得られるデータは、マークアップ言語の１つであるＢＭＬで記述されている。また、ウェブページは、マークアップ言語の１つであるＨＴＭＬ（ＨｙｐｅｒＴｅｘｔ  Ｍａｒｋｕｐ  Ｌａｎｇｕａｇｅ  ）またはそれに互換がある言語で記述されている。また、記録媒体に記録されたデータは、ＸＭＬ（ｅＸｔｅｎｓｉｂｌｅ  Ｍａｒｋｕｐ  Ｌａｎｇｕａｇｅ）やＳＧＭＬ（Ｓｔａｎｄａｒｄ  Ｇｅｎｅｒａｌｉｚｅｄ  Ｍａｒｋｕｐ  Ｌａｎｇｕａｇｅ）で記述される場合もある。これらのコンテンツは、印刷装置２へ送信される時や、格納装置３０に格納される時に、コンテンツ転送のための形式（ここでは、ＸＨＴＭＬスクリプト、画像データなど）のコンテンツに変換される。
【００８６】
また、通信回路３２は、通信路３に接続され、印刷装置２との間でデータ通信を実行する回路である。通信路３が有線通信路である場合には、通信回路３２には、その通信路ケーブル用のコネクタが接続される。この実施の形態１では、通信路３としてＩＥＥＥ１３９４規格のものが使用されるので、通信回路３２は、少なくとも、ＩＥＥＥ１３９４規格に準拠した物理層およびデータリンク層を有する。
【００８７】
ネットワーク処理部３４は、ネットワークインタフェースおよび／またはモデムを含み、ローカルネットワークやインターネットなどの外部ネットワークに接続可能であって、各種プロトコルに従ってローカルネットワークまたは外部ネットワークのサーバからコンテンツを取得する回路または装置である。すなわち、この実施の形態１では、ネットワーク処理部３４は、伝送媒体および／または記録媒体からコンテンツを受信するコンテンツ受信手段として機能する。
【００８８】
図３は、実施の形態１に係る印刷システムにおける印刷装置の構成例を示すブロック図である。図３において、通信回路４１は、通信路３に接続され、デジタル映像機器１との間でデータ通信を実行する回路である。通信路３が有線通信路である場合には、通信回路４１には、その通信路ケーブル用のコネクタが接続される。この実施の形態１では、通信路３としてＩＥＥＥ１３９４規格のものが使用されるので、通信回路４１は、少なくとも、ＩＥＥＥ１３９４規格に準拠した物理層およびデータリンク層を有する。
【００８９】
また、通信制御部４２は、通信回路４１を制御し、デジタル映像機器１との通信を行う回路または装置である。
【００９０】
また、印刷制御部４３は、印刷機構４５を制御および監視し、印刷処理を制御する回路または装置である。この実施の形態１では、印刷制御部４３は、デジタル映像機器１の制御部２９の判定結果に応じて、コンテンツの印刷時にその属性情報を強制印刷させる。画像データ処理部４４は、取得したコンテンツに対して、色補正、色空間変換、印刷制御コマンドへの変換などの処理を行う回路または装置である。印刷機構４５は、印字機構、紙送り機構など、画像を用紙に印刷する機械的および／または電気的な構成部である。この印刷制御部４３および印刷機構４５が、画像などの印刷する印刷手段として機能する。なお、印刷制御部４３および画像データ処理部４４により印刷処理部６１が構成される。この印刷処理部６１は、制御プログラムおよびその制御プログラムを実行するコンピュータとして実現してもよいし、シーケンサなどの専用回路を一部または全部に使用してもよい。
【００９１】
また、ＲＯＭ４６は、印刷装置２の固有識別情報の一種であるシリアル番号データ５１などを記録した書き換え不可のメモリである。
【００９２】
また、操作部４７は、ユーザにより操作され、その操作に応じた信号を出力する回路または装置である。この操作部４７としては、各種スイッチ、タッチパネルなどが、適宜使用される。表示装置４８は、各種情報を表示する装置である。この表示装置４８としては、各種インジケータ、液晶ディスプレイなどが、適宜使用される。
【００９３】
次に、この実施の形態１において、デジタル映像機器１により取得されたコンテンツを印刷装置２に転送するための構成について説明する。図４は、実施の形態１に係る印刷システムにおけるコンテンツの転送に係る部分の構成例を示すブロック図である。
【００９４】
この実施の形態１では、通信路３にはＩＥＥＥ１３９４規格に準拠したものが使用され、その上で、ＡＶ／Ｃプリンティングプロトコルを機能拡張したプロトコルを使用してコンテンツがデジタル映像機器１から印刷装置２へ転送される。その際、デジタル映像機器１の通信制御部３１と印刷装置２の通信制御部３２との間でそのプロトコルに基づいて各種コマンドが送受され、それに応じてデジタル映像機器１の格納装置３０に格納されたコンテンツが印刷装置２の印刷処理部６１に転送される。
【００９５】
図４において、ＡＶ／Ｃコントローラ７１は、デジタル映像機器１の通信制御部３１に設けられており、ＡＶ／Ｃプリンティングプロトコルのコマンドを印刷装置２の通信制御部４２に送信し、通信制御部４２からの応答を受信する回路または装置である。ＡＶ／Ｃコントローラ７１は、デジタル映像機器１に対してユーザなどによる印刷指令があると、印刷処理開始時に、印刷処理開始コマンドを送信する。
【００９６】
また、格納装置コントローラ９１は、印刷装置２の通信制御部４２に設けられており、ＡＶ／Ｃプリンティングプロトコルのコマンドに応じて、格納装置３０に対するコマンドを送信し、格納装置３０に格納されているコンテンツとしてのＸＨＴＭＬスクリプト８１、画像データ８２などを印刷装置２へ転送させる回路または装置である。
【００９７】
次に、上記印刷システムにおける各装置の動作について説明する。
【００９８】
まず、デジタル映像機器１によるコンテンツの取得について説明する。
【００９９】
デジタルデータ放送からコンテンツを取得する場合、信号ソース切換部２１により、入力信号ソースが、アンテナ装置１２により受信されるデジタル放送とされる。そして、チャンネル切換部２２は、デジタルデータ放送のうちの、ユーザ所望のチャンネルを選択し、そのチャンネルのデータストリームを出力する。そして、データ抽出部２４は、そのチャネルのデータを抽出し、データ管理部２６に供給する。データ管理部２６は、そのデータを制御部２９に供給する。制御部２９は、そのデータの一部または全部を格納装置３０に格納する。なお、その際、データ放送から取得されたＢＭＬスクリプト、画像データなどをそのまま格納してもよいし、ＢＭＬスクリプトを、印刷装置２へ送信する際に使用されるマークアップ言語（ここでは、ＸＨＴＭＬ）のスクリプトに変換した後、格納するようにしてもよい。
【０１００】
また、再生装置１１内の図示せぬ記録媒体からコンテンツを取得する場合、信号ソース切換部２１により、入力信号ソースが、再生装置１１とされる。そして、制御部２９は、信号ソース切換部２１を介して再生装置１１からデータを読み出し、そのデータを格納装置３０に格納する。なお、その際、再生装置１１から取得されたデータをそのまま格納してもよいし、データのうち、マークアップ言語などのスクリプトで記述されているものについては、印刷装置２へ送信する際に使用されるマークアップ言語（ここでは、ＸＨＴＭＬ）のスクリプトに変換した後、格納するようにしてもよい。
【０１０１】
また、コンピュータネットワーク上のサーバからコンテンツを取得する場合、制御部２９は、ネットワーク処理部３４を制御して、ユーザ所望のサイトからコンテンツをダウンロードさせ、そのコンテンツのデータを格納装置３０に格納する。なお、その際、サーバから取得されたデータをそのまま格納してもよいし、データのうち、マークアップ言語などのスクリプト（ＨＴＭＬ４スクリプトなど）で記述されているものについては、印刷装置２へ送信する際に使用されるマークアップ言語（ここでは、ＸＨＴＭＬ）のスクリプトに変換した後、格納するようにしてもよい。
【０１０２】
また、デジタル放送からの映像や再生装置１１からの映像の１コマをキャプチャした静止画像をコンテンツとして取得する場合、映像復調部２３により復調された映像データがデータ管理部２６を介して映像出力部２７に供給されているときに、制御部２９の画像取得部３３が、ユーザの操作などに応じて、データ管理部２６から映像データのストリームの一部のデータを取得し、静止画像の画像データを取得する。そして、制御部２９は、その静止画像の画像データを所定のファイル形式（ＪＰＥＧ、ＥＸＩＦ（ＥＸｃｈａｎｇｅａｂｌｅ  Ｉｍａｇｅ  Ｆｉｌｅ）など）で格納装置３０に格納する。
【０１０３】
次に、デジタル映像機器１から印刷装置２へのコンテンツの転送および印刷処理について説明する。図５は、実施の形態１に係る印刷システムにおけるデジタル映像機器１の動作を説明するフローチャートである。
【０１０４】
まず、デジタル映像機器１に対して例えばユーザ操作によりあるコンテンツの印刷の指令が入力されると、デジタル映像機器１の制御部２９は、そのコンテンツを格納装置３０から読み出し（ステップＳ１）、そのコンテンツに固有な属性情報、または、コンテンツの作成、編集、提供、伝送および印刷の少なくとも１つに使用される機器に固有な属性情報を、そのコンテンツの印刷時に印刷するか否かを判定する（ステップＳ２）。
【０１０５】
なお、制御部２９は、この判定を、例えばコンテンツ内あるいは記録媒体やデータストリームの所定の箇所に記述された著者情報、著作権情報などといった、コンテンツに書き込まれた情報に基づいて行ったりする。例えば、ＨＴＭＬスクリプトなどでは、ｈｅａｄ要素に著者情報、著作権情報などが記述される。制御部２９は、そのような情報を参照して、明示的に、著作権で保護されているコンテンツの場合には、属性情報を印刷すると判定する。あるいは、制御部２９は、著作権フリーであることを明示的に宣言していないコンテンツの場合には、属性情報を印刷すると判定するようにしてもよい。
【０１０６】
また、制御部２９は、データ放送から得られるコマンドに基づいてこの判定を行うようにしてもよい。
【０１０７】
その他、制御部２９は、この判定を、コンテンツのソースの種類に基づいて行うようにしてもよい。例えば、制御部２９は、デジタル放送による映像をキャプチャして得られた静止画像などは、属性情報を印刷すると判定する。
【０１０８】
次に、制御部２９は、判定結果を印刷装置２に通知する。この実施の形態１では、制御部２９は、属性情報を併せて印刷すると判定した場合には、そのコンテンツのうちのマークアップ言語のスクリプト（ここでは、ＸＨＴＭＬスクリプト）にその判定結果を書き込む（ステップＳ３）。なお、属性情報を併せて印刷すると判定しなかった場合には、制御部２９は、その判定結果を書き込まない。ただし、属性情報を併せて印刷すると判定しなかった場合にも、制御部２９が、その判定結果を書き込み、印刷装置２がそれに基づいて属性情報を印刷しないようにしてもよい。
【０１０９】
例えばＸＨＴＭＬスクリプトに書き込む場合には、制御部２９は、ｍｅｔａタグを使用して、その判定結果をＸＨＴＭＬスクリプトのｈｅａｄ要素に書き込む。図６は、実施の形態１に係る印刷システムのデジタル映像機器１により判定結果を書き込まれたＸＨＴＭＬスクリプトの一例を示す図である。図６に示すＸＨＴＭＬスクリプトでは、ｈｅａｄ要素に、属性ｎａｍｅ＝”ｃｏｐｙｒｉｇｈｔ−ｐｒｏｔｅｃｔｉｏｎ”および属性ｃｏｎｔｅｎｔ＝”ＹＥＳ”を付加したｍｅｔａタグが挿入されている。これにより、図６に示すＸＨＴＭＬスクリプトに従って印刷装置２により、ＩＭＡＧＥ．ＪＰＧなる画像データファイルに基づいて画像が印刷されるとともに、同一用紙において、属性情報が印刷される。なお、上記属性は、これに限定されるものではなく、印刷装置２が識別可能なものであれば他のいずれのものでもよい。
【０１１０】
そして、デジタル映像機器１における制御部２９の通信制御部３１は、印刷装置２の通信制御部４２と連携して、そのＸＨＴＭＬスクリプトを含むコンテンツの転送処理を行う（ステップＳ４、図７のステップＳ１１）。
【０１１１】
ここで、この実施の形態１における、ＸＨＴＭＬスクリプトを含むコンテンツの転送処理の詳細について説明する。図７は、実施の形態１に係る印刷システムにおける印刷装置２の動作を説明するフローチャートである。図８は、図７におけるコンテンツ取得処理の詳細について説明するフローチャートである。図９は、実施の形態１に係る印刷システムにおけるコンテンツの転送について説明する図である。
【０１１２】
まず、デジタル映像機器１のＡＶ／Ｃコントローラ７１は、ＸＨＴＭＬスクリプトを指定して印刷開始コマンドを印刷装置２の通信制御部４２に送信する。通信制御部４２の格納装置コントローラ９１は、デジタル映像機器１の格納装置３０に向けて、そのＸＨＴＭＬスクリプトを転送させるコマンドを送信する。
【０１１３】
デジタル映像機器１の格納装置３０は、そのコマンドに対応して、そのＸＨＴＭＬスクリプトを印刷装置２に送信する。印刷装置２の印刷処理部６１は、図示せぬバッファにそのＸＨＴＭＬスクリプトを記憶し、そのＸＨＴＭＬスクリプトを解析していく（ステップＳ２２）。
【０１１４】
そして、ＸＨＴＭＬスクリプトに記述された、画像データなどの他のリソースが必要になると（ステップＳ２３）、印刷処理部６１は、そのリソース名を指定して、そのリソースの取得を通信制御部４２に依頼する。通信制御部４２は、印刷処理部６１により指定されたリソースを送信させるコマンドをデジタル映像機器１の格納装置３０に向けて送信する。デジタル映像機器１の格納装置３０は、そのコマンドに対応して、そのリソースを印刷装置２に送信する。印刷装置２の印刷処理部６１は、図示せぬバッファにそのリソースを記憶する（ステップＳ２４）。
【０１１５】
そして、印刷装置２の印刷処理部６１は、そのＸＨＴＭＬスクリプトの最後まで順番に解析を継続していき、スクリプトの最後となったら（ステップＳ２５）、コンテンツの取得が完了したものとする。
【０１１６】
このようにしてコンテンツを取得した後、この実施の形態１では、印刷処理部６１は、ＸＨＴＭＬスクリプトのｈｅａｄ要素を参照し、属性情報の印刷要求（図６の場合では、＜ｍｅｔａ  ｎａｍｅ＝”ｃｏｐｙｒｉｇｈｔ−ｐｒｏｔｅｃｔｉｏｎ”  ｃｏｎｔｅｎｔ＝”ＹＥＳ”／＞）がｍｅｔａタグにより記述されているか否かに基づいて、属性情報を印刷するか否かを判定する（ステップＳ１２）。
【０１１７】
次に、印刷処理部６１は、デジタル映像機器１の制御部２９からの通知に基づき、属性情報を印刷すると判定した場合には、属性情報を取得する（ステップＳ１３）。この実施の形態１では、印刷処理部６１は、ＲＯＭ４６からこの印刷装置２固有のシリアル番号を示すシリアル番号データ５１を読み出し、このシリアル番号を属性情報とする（ステップＳ１３）。
【０１１８】
そして、属性情報を印刷すると判定した場合には、印刷処理部６１は、印刷機構４５を制御して、取得したコンテンツを印刷し、同一用紙上に属性情報も印刷させる（ステップＳ１４）。図１０は、実施の形態１に係る印刷システムにおけるコンテンツの印刷例を示す図である。図１０に示す例では、印刷用紙１０１において、コンテンツである画像１１１、文章１１２および画像１１３が印刷されており、さらに、余白部に、「ＤＧＮＥ００８２７１」なる印刷装置２固有のシリアル番号１１４が印刷されている。
【０１１９】
一方、印刷処理部６１は、属性情報を印刷しないと判定した場合には、印刷機構４５を制御して、取得したコンテンツを印刷させる（ステップＳ１５）。
【０１２０】
以上のように、上記実施の形態１によれば、デジタル映像機器１では、信号ソース切換部２１は、伝送媒体および／または記録媒体からコンテンツを受信し、制御部２９は、コンテンツに固有な属性情報、または、コンテンツの作成、編集、提供、伝送および印刷の少なくとも１つに使用される機器に固有な属性情報を、そのコンテンツの印刷時に印刷するか否かを判定し、通信制御部３１および通信回路３２は、受信されたコンテンツを印刷装置２に送信する。一方、印刷装置２では、印刷処理部６１は、コンテンツから印刷データを生成し、コンテンツの印刷時に、制御部２９による判定に応じて属性情報を強制印刷する。
【０１２１】
これにより、取得したコンテンツとともに上記属性情報が同一用紙に印刷され、コンテンツ（またはその一部）が著作権に配慮した状態で印刷されるようにし、直接的または間接的に著作権を保護することができる。すなわち、印刷装置２の製造シリアル番号などが印刷されることで、ユーザが特定され易くなるため、著作権の遵守の意識が高まる。
【０１２２】
さらに、上記実施の形態１によれば、デジタル映像機器１の制御部２９は、判定結果をコンテンツに書き込む。一方、印刷装置２の印刷処理部６１は、コンテンツに書き込まれた判定結果を参照し、その判定結果に応じて属性情報を強制印刷する。
【０１２３】
これにより、印刷装置において、取得したコンテンツ（またはその一部）が著作権に配慮した状態で印刷すべきか否かを正確に判断することができる。
【０１２４】
さらに、上記実施の形態１によれば、デジタル映像機器１と印刷装置２とを接続する通信路３に、暗号化通信を行うＩＥＥＥ１３９４規格の通信路が使用される。
【０１２５】
これにより、コンテンツが通信路３から別の装置に供給されずに印刷装置２にのみ供給され、取得したコンテンツ（またはその一部）が著作権に配慮した状態で印刷される。
【０１２６】
また、上記実施の形態１によれば、デジタル映像機器１は、コンテンツを格納する格納装置３０を備える。一方、印刷装置２は、デジタル映像機器１の格納装置３０を制御する格納装置コントローラ９１を備える。
【０１２７】
これにより、印刷システムをプル型のシステムとすることができ、印刷装置２に実装するメモリなどの回路の規模を小さくすることができる。
【０１２８】
さらに、上記実施の形態１によれば、デジタル映像機器１の格納装置３０は、コンテンツとしてマークアップ言語のスクリプトおよび画像データを格納する。印刷装置２の格納装置コントローラ９１は、デジタル映像機器１の格納装置３０におけるマークアップ言語のスクリプトを印刷装置２へ転送させ、その後、そのスクリプト内で指定された１または複数の画像データを印刷装置２へ転送させる。
【０１２９】
これにより、印刷システムをプル型のシステムとすることができるとともに、印刷装置２に実装するメモリなどの回路の規模をより小さくすることができる。
【０１３０】
実施の形態２．
本発明の実施の形態２に係る印刷システムは、コンテンツに固有な属性情報、または、コンテンツの作成、編集、提供、伝送および印刷の少なくとも１つに使用される機器に固有な属性情報をそのコンテンツの印刷時に印刷するか否かの判定を、デジタル映像機器１の代わりに印刷装置２で行うようにしたものである。
【０１３１】
この実施の形態２に係る印刷システムでは、デジタル映像機器１は、属性情報を印刷するか否かの判定を行わずに、格納されているコンテンツを印刷装置２に送信する。ただし、デジタル映像機器１は、接続された装置が属性情報を印刷する機能を有さない場合には、コンテンツを送信しないようにしてもよい。
【０１３２】
また、この実施の形態２では、印刷装置２の印刷処理部６１が、取得したコンテンツについて、属性情報を印刷するか否かを判定する。
【０１３３】
印刷装置２の印刷処理部６１は、この判定を、例えばコンテンツ内あるいは記録媒体やデータストリームの所定の箇所に記述された著者情報、著作権情報などといった、コンテンツに書き込まれた情報に基づいて行ったりする。例えば、ＨＴＭＬスクリプトなどでは、ｈｅａｄ要素に著者情報、著作権情報などが記述される。印刷制御部４３は、そのような情報を参照して、明示的に、著作権で保護されているコンテンツの場合には、属性情報を印刷すると判定する。あるいは、印刷制御部４３は、著作権フリーと明示されていないコンテンツの場合には、属性情報を印刷すると判定するようにしてもよい。
【０１３４】
図１１は、実施の形態２に係る印刷システムにおけるコンテンツの一部となるＸＨＴＭＬスクリプトの一例を示す図である。例えば図１１に示すように、ｍｅｔａタグにより著者情報（図１１では、「ｎａｍｅ＝”ａｕｔｈｏｒ”  ｃｏｎｔｅｎｔ＝”ＥＰＳＯＮ”」）および著作権情報（図１１では、「ｎａｍｅ＝”ｃｏｐｙｒｉｇｈｔ”  ｃｏｎｔｅｎｔ＝”ＥＰＳＯＮ”」）が設定されている場合には、印刷処理部６１は、印刷機構４５を制御して、強制的に属性情報を印刷させる。
【０１３５】
その他、デジタル映像機器１の制御部２９が、コンテンツのソースの種類をコンテンツに書き込み、印刷装置２の印刷処理部６１が、その判定を、コンテンツに書き込まれたそのソースの種類に基づいて行うようにしてもよい。例えば、デジタル映像機器１の制御部２９は、デジタル放送による映像をキャプチャして得られた静止画像などがコンテンツである場合には、キャプチャされたものであることをＸＨＴＭＬスクリプトに書き込む。図１２は、実施の形態２に係る印刷システムにおけるコンテンツの一部となるＸＨＴＭＬスクリプトの他の一例を示す図である。例えば図１２に示すように、ＩＭＡＧＥ．ＪＰＧなる静止画像がキャプチャされたものである場合には、ｍｅｔａタグにより著作権情報が「ｎａｍｅ＝”ｃｏｐｙｒｉｇｈｔ”  ｃｏｎｔｅｎｔ＝”＊＊ＣＡＰＴＵＲＥＤ＊＊”」と設定される。ここでは、「＊＊ＣＡＰＴＵＲＥＤ＊＊」という文字列によりＩＭＡＧＥ．ＪＰＧなる静止画像がキャプチャされたものであることが明示される。なお、この文字列や、このｍｅｔａタグの使用は、一例であり、これに限定されるものではなく、印刷装置２が識別できるものであれば他のものでもよい。
【０１３６】
なお、実施の形態２に係る印刷システムの基本的な構成および上述以外の処理における動作については、実施の形態１の場合と同様であるので、その説明を省略する。
【０１３７】
以上のように、上記実施の形態２によれば、印刷装置２の印刷制御部４３は、コンテンツに固有な属性情報、または、コンテンツの作成、編集、提供、伝送および印刷の少なくとも１つに使用される機器に固有な属性情報をそのコンテンツの印刷時に印刷するか否かを判定する。そして、印刷制御部４３および印刷機構４５は、コンテンツの印刷時に、その判定に応じて属性情報を強制印刷する。なお、この実施の形態２において、デジタル映像機器１では、属性情報をコンテンツの印刷時に印刷するか否かの判定は行われない。
【０１３８】
これにより、取得したコンテンツとともに上記属性情報が同一用紙に印刷され、コンテンツ（またはその一部）が著作権に配慮した状態で印刷されるようにし、直接的または間接的に著作権を保護することができる。
【０１３９】
さらに、上記実施の形態２によれば、印刷装置２の印刷制御部４３が、コンテンツに書き込まれた情報に基づいて属性情報を印刷するか否かを判定する。
【０１４０】
これにより、取得したコンテンツ（またはその一部）が著作権に配慮した状態で印刷すべきか否かを正確に判断することができる。
【０１４１】
さらに、上記実施の形態２によれば、印刷装置２の印刷制御部４３が、著作権で保護されているコンテンツを印刷する場合には、属性情報を印刷すると判定する。
【０１４２】
これにより、取得したコンテンツ（またはその一部）が著作権に配慮した状態で印刷されるようにし、直接的または間接的に著作権を保護することができる。
【０１４３】
さらに、上記実施の形態２によれば、印刷装置２の印刷制御部４３および印刷機構４５が、属性情報として、この印刷装置の固有識別情報（例えばシリアル番号）を強制印刷する。
【０１４４】
これにより、印刷物がどの印刷装置で印刷されたかを一意に特定することが可能であるため、著作権の侵害に対する抑止効果を期待でき、間接的に著作権を保護することができる。
【０１４５】
なお、上記実施の形態２において、印刷装置２の印刷制御部４３が、コンテンツを供給する機器（ここではデジタル映像機器１）からの指令に基づいて属性情報を印刷するか否かを判定するようにしてもよい。その場合、コンテンツを供給する機器であるデジタル映像機器１が、コンテンツの印刷の前に、属性情報を印刷させる指令、または属性情報を印刷させない指令を印刷装置２へ送信する。
【０１４６】
これにより、印刷装置２において、取得したコンテンツ（またはその一部）が著作権に配慮した状態で印刷すべきか否かを正確に判断することができる。
【０１４７】
さらに、上記実施の形態２において、印刷装置２の印刷制御部４３および印刷機構４５が、属性情報として、コンテンツの著作権情報の一部または全部を強制印刷するようにしてもよい。
【０１４８】
これにより、コンテンツの著作権情報が必要に応じて印刷物に明記され、直接的に著作権を保護することができる。
【０１４９】
さらに、上記実施の形態２において、印刷装置２の印刷制御部４３が、コンテンツの一部または全部である、マークアップ言語で記述されたスクリプトを解析し、コンテンツの著作権情報を取得する著作権情報取得手段として機能するようにしてもよい。
【０１５０】
これにより、コンテンツの作者等により記述された著作権情報を取得でき、正確に著作権者などを特定することができる。
【０１５１】
さらに、上記実施の形態２において、印刷装置２の印刷制御部４３が、コンテンツの一部または全部である画像データのメタデータからコンテンツの著作権情報を取得する著作権情報取得手段として機能するようにしてもよい。例えば、ＥＸＩＦ形式の画像データには、画像に係るデータの他に、各種メタデータが設定されている。
【０１５２】
これにより、コンテンツの作者等により記述された著作権情報を取得でき、正確に著作権者などを特定することができる。
【０１５３】
さらに、上記実施の形態２において、印刷装置２の印刷制御部４３および印刷機構４５が、属性情報が取得できなかった場合には、コンテンツを印刷しないようにしてもよい。一枚の印刷用紙に印刷する複数のコンテンツのうちの一部にのみ属性情報の印刷が必要である場合において属性情報が取得できなかったときには、印刷装置２は、それ以外の残りのコンテンツを印刷するようにしてもよい。
【０１５４】
これにより、取得したコンテンツ（またはその一部）が著作権に配慮しない状態では印刷されることがなくなり、直接的に著作権を保護することができる。
【０１５５】
実施の形態３．
図１３は、本発明の実施の形態３に係る印刷システムの構成を示すブロック図である。図１３において、中継装置２０１は、デジタル映像機器１と印刷装置２０２との間に配置され、コンテンツから印刷データ（印刷制御コマンドなど）を生成する装置である。中継装置２０１は、通信路３を介してデジタル映像機器１に接続され、通信路２０３を介して印刷装置２０２に接続される。印刷装置２０２は、印刷データを受信してその印刷データに基づいて印刷する装置である。なお、図１３におけるその他の構成要素については実施の形態１のものと同様であるので、その説明を省略する。
【０１５６】
図１４は、実施の形態３に係る印刷システムにおける中継装置２０１の構成例を示すブロック図である。図１４において、データ処理部２１１は、デジタル映像機器１からコンテンツを取得し、取得したコンテンツに対して各種処理を行う回路または装置である。データ処理部２１１において、制御部２２１は、データ処理部２１１を制御する回路または装置である。この実施の形態３では、制御部２２１は、さらに、実施の形態１と同様のデジタル映像機器１の判定結果に応じて、属性情報の印刷データを、コンテンツの印刷データに強制的に追加する印刷データ生成手段として機能する。また、画像データ処理部２２２は、取得したコンテンツに対して、色補正、色空間変換、印刷制御コマンドへの変換などの処理を行う回路または装置である。
【０１５７】
なお、このデータ処理部２１１は、制御プログラムおよびその制御プログラムを実行するコンピュータとして実現してもよいし、シーケンサなどの専用回路を一部または全部に使用してもよい。
【０１５８】
また、通信回路２１２は、通信路２０３に接続され、印刷装置２０２との間でデータ通信を実行する回路である。通信路２０３が有線通信路である場合には、通信回路２１２には、その通信路ケーブル用のコネクタが接続される。この実施の形態３では、通信路２０３としてＵＳＢ（Ｕｎｉｖｅｒｓａｌ  Ｓｅｒｉａｌ  Ｂｕｓ）規格のものが使用されるので、通信回路２１２は、ＵＳＢ規格に準拠した物理層およびデータリンク層を有する。ただし、通信路２０３の通信規格は、ＵＳＢに限定されるものではない。
【０１５９】
また、通信制御部２１３は、通信回路２１２を制御し、印刷装置２０２との通信を行う回路または装置である。
【０１６０】
なお、図１４における通信回路４１および通信制御部４２は、実施の形態１のものと同様であるので、その説明を省略する。
【０１６１】
図１５は、実施の形態３に係る印刷システムにおける印刷装置２０２の構成例を示すブロック図である。図１５において、通信回路２３１は、通信路２０３に接続され、中継装置２０１との間でデータ通信を実行する回路である。通信路２０３が有線通信路である場合には、通信回路２３１には、その通信路ケーブル用のコネクタが接続される。なお、通信回路２３１および通信制御部２３２は、印刷装置２０２がパーソナルコンピュータに接続される際に使用されるものを兼用することができる。なお、この実施の形態３では、通信路２０３としてＵＳＢ規格のものが使用されるので、通信回路２３１は、ＵＳＢ規格に準拠した物理層およびデータリンク層を有する。
【０１６２】
また、印刷制御部２３３は、印刷制御コマンドなどの印刷データを受信し、その印刷データに従って印刷機構４５を制御して印刷処理を行う回路または装置である。
【０１６３】
なお、図１５におけるその他の構成要素については、実施の形態１のものと同様であるので、その説明を省略する。
【０１６４】
次に、コンテンツの転送および印刷の際の上記システムの各装置の動作について説明する。なお、デジタル映像機器１によるコンテンツの取得については実施の形態１の場合と同様であるので、その説明を省略する。
【０１６５】
まず、デジタル映像機器１に対して例えばユーザ操作によりあるコンテンツの印刷の指令が入力されると、デジタル映像機器１の制御部２９は、そのコンテンツを格納装置３０から読み出し、そのコンテンツに固有な属性情報、または、コンテンツの作成、編集、提供、伝送および印刷の少なくとも１つに使用される機器に固有な属性情報を、そのコンテンツの印刷時に印刷するか否かを判定する。
【０１６６】
次に、制御部２９は、属性情報を併せて印刷すると判定した場合には、そのコンテンツのうちのマークアップ言語のスクリプト（ここでは、ＸＨＴＭＬスクリプト）にその判定結果を書き込む。なお、属性情報を併せて印刷すると判定しなかった場合には、制御部２９は、その判定結果を書き込まない。ただし、属性情報を併せて印刷すると判定しなかった場合にも、制御部２９が、その判定結果を書き込み、それに基づいて中継装置２０１が属性情報を印刷装置２０２により印刷しないようにしてもよい。
【０１６７】
そして、デジタル映像機器１における制御部２９の通信制御部３１は、中継装置２０１の通信制御部４２と連携して、そのＸＨＴＭＬスクリプトを含むコンテンツの転送処理を行う。
【０１６８】
中継装置２０１のデータ処理部２１１は、コンテンツを取得した後、ＸＨＴＭＬスクリプトのｈｅａｄ要素を参照し、属性情報の印刷要求がｍｅｔａタグにより記述されているか否かに基づいて、属性情報を印刷するか否かを判定する。
【０１６９】
次に、データ処理部２１１は、属性情報を印刷すると判定した場合には、属性情報を取得する。この実施の形態３では、データ処理部２１１は、印刷装置２０２のＲＯＭ４６に記憶されているこの印刷装置２固有のシリアル番号を示すシリアル番号データ５１を印刷装置２０２から取得し、このシリアル番号を属性情報とする。
【０１７０】
そして、データ処理部２１１は、属性情報を印刷すると判定した場合には、取得したコンテンツおよび属性情報についての印刷データを生成し、通信制御部２１３および通信回路２１２により印刷装置２０２に送信する。一方、データ処理部２１１は、属性情報を印刷しないと判定した場合には、取得したコンテンツについての印刷データを生成し、通信制御部２１３および通信回路２１２により印刷装置２０２に送信する。
【０１７１】
印刷装置２０２の印刷制御部２３３は、通信回路２３１および通信制御部２３２により受信された印刷データに基づいて印刷機構４５を制御して、印刷を行う。これにより、属性情報を印刷しないと判定した場合には、コンテンツのみが印刷され、属性情報を印刷すると判定した場合には、コンテンツと属性情報が印刷される。
【０１７２】
以上のように、上記実施の形態３によれば、デジタル映像機器１では、信号ソース切換部２１は、伝送媒体および／または記録媒体からコンテンツを受信し、制御部２９は、コンテンツに固有な属性情報、または、コンテンツの作成、編集、提供、伝送および印刷の少なくとも１つに使用される機器に固有な属性情報を、そのコンテンツの印刷時に印刷するか否かを判定し、通信制御部３１および通信回路３２は、受信されたコンテンツを中継装置２０１に送信する。一方、中継装置２０１では、データ処理部２１１は、制御部２９による判定に応じて属性情報の印刷データを、コンテンツの印刷データに強制的に追加する。そして、印刷装置２０２は、その印刷データに基づいて、コンテンツおよび属性情報を印刷する。
【０１７３】
これにより、取得したコンテンツ（またはその一部）が著作権に配慮した状態で印刷されるようにし、直接的または間接的に著作権を保護することができる。
【０１７４】
さらに、上記実施の形態３によれば、実施の形態１と同様に、デジタル映像機器１の制御部２９が、著作権で保護されているコンテンツを印刷する場合には、属性情報を印刷すると判定する。
【０１７５】
これにより、取得したコンテンツ（またはその一部）が著作権に配慮した状態で印刷されるようにし、直接的または間接的に著作権を保護することができる。
【０１７６】
さらに、上記実施の形態３によれば、デジタル映像機器１は、デジタル放送受信機として機能し、制御部２９は、受信したコンテンツのうちの著作権保護されたコンテンツを印刷する場合には、属性情報を印刷すると判定する。
【０１７７】
これにより、デジタル放送から取得したコンテンツ（またはその一部）が著作権に配慮した状態で印刷されるようにし、直接的または間接的に著作権を保護することができる。
【０１７８】
さらに、上記実施の形態３によれば、デジタル映像機器１は、キャプチャ機能を有するデジタル放送受信機として機能し、制御部２９は、キャプチャされた静止画像をコンテンツとして印刷する場合には、属性情報を印刷すると判定する。
【０１７９】
これにより、デジタル放送から取得したコンテンツ（またはその一部）が著作権に配慮した状態で印刷されるようにし、直接的または間接的に著作権を保護することができる。
【０１８０】
さらに、上記実施の形態３によれば、デジタル映像機器１と中継装置２０１とを接続する通信路３に、暗号化通信を行うＩＥＥＥ１３９４規格の通信路が使用される。
【０１８１】
これにより、コンテンツが通信路３から別の装置に供給されずに中継装置２０１にのみ供給され、取得したコンテンツ（またはその一部）が著作権に配慮した状態で印刷される。
【０１８２】
実施の形態４．
本発明の実施の形態４に係る印刷システムは、コンテンツに固有な属性情報、または、コンテンツの作成、編集、提供、伝送および印刷の少なくとも１つに使用される機器に固有な属性情報を、そのコンテンツの印刷時に印刷するか否かの判定を、デジタル映像機器１の代わりに中継装置２０１で行うようにしたものである。
【０１８３】
この実施の形態４に係る印刷システムでは、デジタル映像機器１は、属性情報を印刷するか否かの判定を行わずに、格納されているコンテンツを中継装置２０１に送信する。ただし、デジタル映像機器１は、接続された装置が属性情報を印刷する機能を有しない場合には、コンテンツを送信しないようにしてもよい。
【０１８４】
また、この実施の形態４では、中継装置２０１のデータ処理部２１１が、取得したコンテンツについて、属性情報を印刷するか否かを判定する判定手段として機能する。
【０１８５】
中継装置２０１のデータ処理部２１１は、この判定を、例えばコンテンツ内あるいは記録媒体やデータストリームの所定の箇所に記述された著者情報、著作権情報などといった、コンテンツに書き込まれた情報に基づいて行ったりする。例えば、ＨＴＭＬスクリプトなどでは、ｈｅａｄ要素に著者情報、著作権情報などが記述される。制御部２２１は、そのような情報を参照して、明示的に、著作権で保護されているコンテンツの場合には、属性情報を印刷すると判定する。あるいは、制御部２２１は、著作権フリーと明示されていないコンテンツの場合には、属性情報を印刷すると判定するようにしてもよい。
【０１８６】
例えば図１１に示すように、ｍｅｔａタグにより著者情報（図１１では、「ｎａｍｅ＝”ａｕｔｈｏｒ”  ｃｏｎｔｅｎｔ＝”ＥＰＳＯＮ”」）および著作権情報（図１１では、「ｎａｍｅ＝”ｃｏｐｙｒｉｇｈｔ”  ｃｏｎｔｅｎｔ＝”ＥＰＳＯＮ”」）が設定されている場合には、データ処理部２１１は、コンテンツの印刷データに、属性情報を印刷させるための印刷データを追加する。
【０１８７】
その他、デジタル映像機器１の制御部２９が、コンテンツのソースの種類をコンテンツに書き込み、中継装置２０１のデータ処理部２１１が、その判定を、コンテンツに書き込まれたそのソースの種類に基づいて行うようにしてもよい。例えば、デジタル映像機器１の制御部２９は、デジタル放送による映像をキャプチャして得られた静止画像などがコンテンツである場合には、キャプチャされたものであることをＸＨＴＭＬスクリプトに書き込む。例えば図１２に示すように、ＩＭＡＧＥ．ＪＰＧなる静止画像がキャプチャされたものである場合には、ｍｅｔａタグにより著作権情報が「ｎａｍｅ＝”ｃｏｐｙｒｉｇｈｔ”  ｃｏｎｔｅｎｔ＝”＊＊ＣＡＰＴＵＲＥＤ＊＊”」と設定される。ここでは、「＊＊ＣＡＰＴＵＲＥＤ＊＊」という文字列によりＩＭＡＧＥ．ＪＰＧなる静止画像がキャプチャされたものであることが明示される。なお、この文字列や、このｍｅｔａタグの使用は、一例であり、これに限定されるものではなく、中継装置２０１が識別できるものであれば他のものでもよい。
【０１８８】
なお、実施の形態４に係る印刷システムの基本的な構成および上述以外の処理における動作については、実施の形態２の場合と同様であるので、その説明を省略する。
【０１８９】
また、実施の形態４では、属性情報としては、著作権情報の一部または全部を使用してもよい。
【０１９０】
さらに、実施の形態４において、中継装置２０１は、属性情報が得られない場合には、コンテンツの印刷データを印刷装置２０２に出力しないようにしてもよい。また、一枚の印刷用紙に印刷する複数のコンテンツのうちの一部にのみ属性情報の印刷が必要である場合において属性情報が取得できなかったときには、中継装置２０１は、それ以外の残りのコンテンツについての印刷データを生成し、印刷装置２０２に送信するようにしてもよい。
【０１９１】
さらに、実施の形態４において、中継装置２０１のデータ処理部２１１は、コンテンツの一部または全部である、マークアップ言語のスクリプトや画像データを解析してメタデータなどから著作権情報を取得するようにしてもよい。また、その著作権情報を属性情報として使用するようにしてもよい。
【０１９２】
以上のように、上記実施の形態４によれば、コンテンツを受信し、そのコンテンツのデータから印刷データを生成する中継装置２０１において、データ処理部２１１は、コンテンツに固有な属性情報、または、コンテンツの作成、編集、提供、伝送および印刷の少なくとも１つに使用される機器に固有な属性情報を、そのコンテンツの印刷時に印刷するか否かを判定し、その判定結果に応じて属性情報の印刷データを、コンテンツの印刷データに強制的に追加する。その際、デジタル映像機器１では、信号ソース切換部２１は、伝送媒体および／または記録媒体からコンテンツを受信し、通信制御部３１および通信回路３２は、受信されたコンテンツを中継装置２０１に送信する。すなわち、属性情報をコンテンツの印刷時に印刷するか否かの判定は、デジタル映像機器１では行われない。
【０１９３】
これにより、取得したコンテンツ（またはその一部）が著作権に配慮した状態で印刷されるようにし、直接的または間接的に著作権を保護することができる。
【０１９４】
さらに、上記実施の形態４によれば、中継装置２０１のデータ処理部２１１が、著作権で保護されているコンテンツを印刷する場合には、属性情報を印刷すると判定する。
【０１９５】
これにより、取得したコンテンツ（またはその一部）が著作権に配慮した状態で印刷されるようにし、直接的または間接的に著作権を保護することができる。
【０１９６】
実施の形態５．
本発明の実施の形態５に係る印刷システムでは、デジタル映像機器１が、印刷装置２または中継装置２０１の代わりに属性情報を取得し、その属性情報を印刷装置２または中継装置２０１に通知したり、その属性情報が印刷されるようにコンテンツを変更するようにしたものである。
【０１９７】
なお、その他の構成および動作については他の実施の形態の場合と同様とすることができるので、ここでは、その説明を省略する。
【０１９８】
実施の形態６．
本発明の実施の形態６に係る印刷システムでは、デジタル映像機器１が、印刷装置２または中継装置２０１と接続された時、あるいはその後で、接続された印刷装置２または中継装置２０１が上述した属性情報の印刷に対応している装置であるか否かを判定し、その判定結果に応じて、コンテンツの転送を制限するようにしたものである。その際、さらに、デジタル映像機器１は、コンテンツの種類に応じて、コンテンツの転送を制限するようにしてもよい。
【０１９９】
すなわち、デジタル映像機器１の制御部２９は、印刷装置２（または中継装置２０１）がコンテンツに固有な属性情報、または、コンテンツの作成、編集、提供、伝送および印刷の少なくとも１つに使用される機器に固有な属性情報をそのコンテンツの印刷時に印刷することが可能かを判定する印刷機能判定手段として機能し、さらに、そのコンテンツの印刷時に属性情報を印刷することが可能ではないと判定した場合に、通信手段である通信制御部３１および通信回路３２による印刷装置２（または中継装置２０１）へのコンテンツの送信を禁止するコンテンツ送信禁止手段として機能する。なお、デジタル映像機器１の制御部２９は、著作権で保護されているコンテンツの送信のみを禁止するようにしてもよい。
【０２００】
より具体的には、デジタル映像機器１と印刷装置２または中継装置２０１とが接続された時、あるいはその後の時点で、上述のようにして属性情報の印刷が可能な印刷装置２または中継装置２０１が、デジタル映像機器１へ、その旨を示す所定の通知を送信し、デジタル映像機器１は、その通知を受信した場合には、接続された装置が上述のようにして属性情報を印刷可能であると判断し、その通知を受信しなかった場合には、接続された装置が上述のようにして属性情報を印刷可能ではないと判断すればよい。
【０２０１】
以上のように、上記実施の形態６によれば、デジタル映像機器１では、信号ソース切換部２１は、伝送媒体および／または記録媒体からコンテンツを受信し、通信制御部３１および通信回路３２は、印刷装置２または中継装置２０１との通信を行い、制御部２９は、印刷装置２または中継装置２０１がコンテンツに固有な属性情報、または、コンテンツの作成、編集、提供、伝送および印刷の少なくとも１つに使用される機器に固有な属性情報をそのコンテンツの印刷時に印刷することが可能かを判定する印刷機能判定手段として機能し、さらに、そのコンテンツの印刷時に属性情報を印刷することが可能ではないと判定した場合に、印刷装置２または中継装置２０１へのコンテンツの送信を禁止するコンテンツ送信禁止手段として機能する。
【０２０２】
これにより、上述のようにコンテンツ（またはその一部）を著作権に配慮した状態で印刷することができない装置にはコンテンツが送信されず、常に、取得したコンテンツ（またはその一部）が著作権に配慮した状態で印刷されるようにし、直接的または間接的に著作権を保護することができる。
【０２０３】
さらに、上記実施の形態６によれば、デジタル映像機器１の制御部２９が、著作権で保護されているコンテンツのみの送信を禁止する。
【０２０４】
これにより、取得したコンテンツ（またはその一部）が著作権に配慮しない状態では印刷されることがなくなり、直接的に著作権を保護することができる。かつ、著作権フリーのコンテンツについては、印刷を行うことができる。
【０２０５】
実施の形態７．
本発明の実施の形態７に係る印刷システムは、いわゆるプッシュ型のシステムとしたものである。すなわち、上記実施の形態１〜６では、印刷装置２または中継装置２０１が、必要に応じて、デジタル映像機器１からコンテンツのデータを順次取得しているいわゆるプル型の印刷システムであるが、本発明の実施の形態７に係る印刷システムではデジタル映像機器１が印刷装置２（または中継装置２０１）にコンテンツのデータを必要に応じて送信し、印刷装置２（または中継装置２０１）は、コンテンツのデータを受信すると、そのデータに対する処理を行う。
【０２０６】
なお、この実施の形態７における各装置のその他の動作については、実施の形態１〜６のいずれかの場合と同様とすることができる。ここでは、その説明を省略する。
【０２０７】
なお、上述の各実施の形態は、本発明の好適な例であるが、本発明は、これらに限定されるものではなく、本発明の要旨を逸脱しない範囲において、種々の変形、変更が可能である。
【０２０８】
例えば、上述の各実施の形態において、属性情報としては、印刷装置２の固有識別情報以外にも、コンテンツのメタデータとして記述されている作者情報などといった著作権情報を使用することができる。また、その他、デジタル映像機器１の固有識別情報、中継装置２０１の固有識別情報、再生装置１１の固有識別情報などを使用してもよい。また、それらのうちの複数を組み合わせて属性情報に使用してもよい。
【０２０９】
さらに、上述の各実施の形態において、印刷部数、ユーザ名、日付、時刻などを属性情報に加えてもよい。印刷部数については、全部数の数値と各部の番号とを併記したりして印刷されるようにする。また、コンテンツに印刷許容部数が設定されている場合には、印刷部数がその印刷許容部数を超えた場合にのみ、属性情報を印刷するようにしてもよい。また、そのユーザ名には、機器に登録されているユーザの名称、機器やサービスにログオン時に使用されるユーザの名称などが使用される。また、日付および時刻は、デジタル映像機器１に内蔵される図示せぬタイマから取得され、印刷装置２または中継装置２０１は、属性情報として日付および／または時刻を取得する場合には、通信路３を介して取得する。
【０２１０】
さらに、上述の各実施の形態において、属性情報を印刷する位置は、用紙の余白のいずれの場所でもよい。また、上述の各実施の形態において、属性情報をコンテンツに重畳させて印刷するようにしてもよい。さらに、直ちに視認できるように属性情報を印刷することに加えて、透かし画像として、コンテンツの画像に重畳させて属性情報を印刷するようにしてもよい。なお、属性情報の印刷位置についてはユーザが指定することができるようにしてもよい。ただし、上述の各実施の形態において、属性情報の印刷の有無は、ユーザにより変更できないようにされる。
【０２１１】
さらに、上述の各実施の形態において、１頁の用紙内に複数のコンテンツが印刷される場合に、コンテンツに応じて属性情報が異なるときには、コンテンツに応じて複数の属性情報を印刷するようにしてもよい。その場合、例えば、属性情報の印刷位置が、関連するコンテンツの印刷位置に近くなるようにする。
【０２１２】
さらに、上述の各実施の形態において、印刷装置２，２０２により両面印刷可能である場合には、表面に加えて裏面にも属性情報を印刷するようにしてもよい。
【０２１３】
さらに、上述の各実施の形態において、通信路３としては、ＩＥＥＥ１３９４規格以外の通信規格のもの使用してもよい。その場合、暗号通信を行うことができる通信規格のものとすることが好ましい。また、通信路３として、無線通信路を確立可能なブルーツース、無線ＬＡＮなどを使用するようにしてもよい。同様に、通信路２０３として、ＵＳＢ以外の通信規格のものを使用してもよい。その場合、通信路３と同様の通信規格としてもよいし、別の通信規格としてもよい。
【０２１４】
さらに、上述の各実施の形態において、デジタル映像機器１の代わりに、デジタル放送を受信する受信装置、記録媒体から再生されるコンテンツを受信する受信装置を使用するようにしてもよい。
【０２１５】
さらに、上述の各実施の形態において、コンテンツの種類に応じて、使用する属性情報の種類を切り換えるようにしてもよい。また、上述の各実施の形態において、使用する属性情報の候補を複数挙げておき、所定の優先順位に基づいて、取得可能な属性情報のうちの最も優先順位の高いものを使用するようにしてもよい。
【０２１６】
【発明の効果】
本発明によれば、取得したコンテンツ（またはその一部）が著作権に配慮した状態で印刷されるようにし、直接的または間接的に著作権を保護することができる印刷装置、受信装置、中継装置、印刷システムおよび印刷方法を得ることができる。
【図面の簡単な説明】
【図１】図１は、本発明の実施の形態１に係る印刷システムの構成を示すブロック図である。
【図２】図２は、実施の形態１に係る印刷システムにおけるデジタル映像機器の構成例を示すブロック図である。
【図３】図３は、実施の形態１に係る印刷システムにおける印刷装置の構成例を示すブロック図である。
【図４】図４は、実施の形態１に係る印刷システムにおけるコンテンツの転送に係る部分の構成例を示すブロック図である。
【図５】図５は、実施の形態１に係る印刷システムにおけるデジタル映像機器の動作を説明するフローチャートである。
【図６】図６は、実施の形態１に係る印刷システムのデジタル映像機器により判定結果を書き込まれたＸＨＴＭＬスクリプトの一例を示す図である。
【図７】図７は、実施の形態１に係る印刷システムにおける印刷装置の動作を説明するフローチャートである。
【図８】図８は、図７におけるコンテンツ取得処理の詳細について説明するフローチャートである。
【図９】図９は、実施の形態１に係る印刷システムにおけるコンテンツの転送について説明する図である。
【図１０】図１０は、実施の形態１に係る印刷システムにおけるコンテンツの印刷例を示す図である。
【図１１】図１１は、実施の形態２に係る印刷システムにおけるコンテンツの一部となるＸＨＴＭＬスクリプトの一例を示す図である。
【図１２】図１２は、実施の形態２に係る印刷システムにおけるコンテンツの一部となるＸＨＴＭＬスクリプトの他の一例を示す図である。
【図１３】図１３は、本発明の実施の形態３に係る印刷システムの構成を示すブロック図である。
【図１４】図１４は、実施の形態３に係る印刷システムにおける中継装置の構成例を示すブロック図である。
【図１５】図１５は、実施の形態３に係る印刷システムにおける印刷装置の構成例を示すブロック図である。
【符号の説明】
１  デジタル映像機器（受信装置）
２  印刷装置
３  通信路
２１  信号ソース切換部（コンテンツ受信手段）
２９  制御部（判定手段、印刷機能判定手段、コンテンツ送信禁止手段）
３０  格納装置
３１  通信制御部（通信手段、コンテンツ送信手段）
３２  通信回路（通信手段、コンテンツ送信手段）
３４  ネットワーク処理部（コンテンツ受信手段）
４３  印刷制御部（判定手段、印刷手段、著作権情報取得手段）
４５  印刷機構（印刷手段）
８１  ＸＨＴＭＬスクリプト（コンテンツ）
８２  画像データ（コンテンツ）
９１  格納装置コントローラ
２０１  中継装置
２１１  データ処理部（判定手段、印刷データ生成手段）
【図１】
2004265216.tif 000003
【図２】
2004265216.tif 000004
【図３】
2004265216.tif 000005
【図４】
2004265216.tif 000006
【図５】
2004265216.tif 000007
【図６】
2004265216.tif 000008
【図７】
2004265216.tif 000009
【図８】
2004265216.tif 000010
【図９】
2004265216.tif 000011
【図１０】
2004265216.tif 000012
【図１１】
2004265216.tif 000013
【図１２】
2004265216.tif 000014
【図１３】
2004265216.tif 000015
【図１４】
2004265216.tif 000016
【図１５】
2004265216.tif 000017